(57)【要約】【課題】  新たな方式で物質の混合または反応評価・検査が行える、より詳細には、物質の混合または反応・検査の前後だけではなく、その経過もリアルタイムに観察・測定できる分析デバイスおよび分析装置を提供する。【解決手段】  分析デバイス１としては、細孔を複数備えかつ近傍または内部で物質の混合または反応が生じるフィルタ２と、フィルタ２の内部または近傍に設けた光導波路３とを有する。分析装置は、分析デバイス１に、さらに光導波路３に通す光波を発する光源１２と、光導波路３を通って出た光波を検出する検出器１３を有する。【選択図】  図１
2007033342.tif 000002
【特許請求の範囲】
【請求項１】
細孔を複数備えかつ近傍または内部で物質の混合または反応が生じるフィルタと、該フィルタの内部または近傍に設けた光導波路とを有する分析デバイス。
【請求項２】
前記光導波路が、コアを露出したものである請求項１記載の分析デバイス。
【請求項３】
前記光導波路が、光ファイバである請求項１または２記載の分析デバイス。
【請求項４】
前記光導波路が、外径がテーパ型である請求項３記載の分析デバイス。
【請求項５】
前記光導波路を、前記フィルタの内部に細孔を横切るように設けた請求項１記載の分析デバイス。
【請求項６】
前記光導波路を、前記フィルタの内部に細孔に隣接させて設けた請求項１記載の分析デバイス。
【請求項７】
前記光導波路を、前記フィルタの表面に密着させて設けた請求項１記載の分析デバイス。
【請求項８】
前記フィルタが、前記光導波路を構成する材料よりも低い屈折率を有する材料で構成されている請求項１記載の分析デバイス。
【請求項９】
請求項１〜８のいずれかに記載の分析デバイスと、前記光導波路に通す光波を発する光源と、該光導波路を通って出た光波を検出する検出器を有する分析装置。
【発明の詳細な説明】
【技術分野】
【０００１】
本発明は、分析デバイスおよび分析装置に関し、より詳細には、新たな方式で物質の混合または反応評価・検査を行える分析デバイスおよび分析装置に関する。
【背景技術】
【０００２】
従来から、フィルタを用いた分析装置は公知となっている。例えば、特許文献１には、基板に形成された孔内に電気収縮性のフィルム状の高分子ゲルをその周囲を固定した状態で設け、この高分子ゲルに直流電圧を連続的に変化させて印加し、高分子ゲルを収縮させることにより、前記高分子ゲルに微量の流体を通過させる任意の微孔を形成することを特徴とするイオンまたは分子フィルタおよび該フィルタを用いた分析装置が開示されている。
しかし、特許文献１記載のフィルタは、微孔の孔径に応じたイオンや分子を通過させることができ、試料液体中のイオンや分子を容易に、かつ、従来に比べ短時間でふるいに掛けることができるが、それでも微量の流体しか送液できない。
【０００３】
また近年、各種研究開発の迅速化、省力化、省資源化、省エネルギ化、省スペース化、さらには、実験廃液、廃棄物の削減、繰り返し実験の合理化等を目的として、マイクロメートル単位の微小空間において化学実験、反応、検出、分析を行うことができる集積化化学実験室、いわゆるマイクロチップ、マイクロＴＡＳ等と称されるものが開示されている。
例えば、特許文献２には、液液界面反応を制御するための平面マイクロチップ流路が開示されている。
また、特許文献３には、単一機能を達成するマイクロチップを構成し、この構成したチップの中から異なる単一機能を有するチップを複数取り出し、これらチップ同士を組合せることにより目的とする三次元の化学反応経路を構成することを特徴とするバイオケミカルＩＣが開示されている。
【０００４】
しかし、特許文献２記載のマイクロチップでは、反応・検出の単位操作ステップ毎に平面流路が必要となり、このマイクロチップを用いた分析装置において一定以上に高集積化する事は困難である。さらに、このマイクロチップは、平面上に配列された流路を有するものであるため、検出感度や速度の向上の点においても一定以上のものにすることは困難である。
また、特許文献３記載のバイオケミカルＩＣでは、１つの反応系の高さが６ｍｍ以上、幅が５ｍｍ程度と大きく、この大きさではマイクロリットルレベルの微量分析能力が求められる環境分析への対応は困難である。
【０００５】
また、上記特許文献２および３に記載されたマイクロチップは、液体試料・試薬の混合・反応等に、マイクロメートル単位の微小な径の流路を利用するものであるが、十分な混合・反応等にはその流路長は、径に対して極めて長いものが必要となる。また、そのような長い流路を確保する為には、該流路を迂回させたとしても、チップ全体としてセンチメートル単位のサイズとなり、更なる小型化が望まれていた。また、マイクロメートル単位の微小な径に対して極めて長い流路長を有する流路に液体を流すためには、例えば、１００気圧等の極めて大きな圧力差を加える必要があり、圧力損失の大きいものであった。
【０００６】
上記の特許文献１〜３記載の技術の問題に対し、本発明者らは、特定のサイズの細孔を複数備えかつ液体中分子ふるいや分離が可能なフィルタと、該フィルタによって、筒状の槽内部を径方向に仕切って複数の反応層を形成したマイクロリアクタを発明した。このフィルタは自身が有する細孔の微小さにより、液体が該細孔を通過する際に分子拡散による分子同士の衝突頻度が向上でき、かつそのような細孔が多数あるため、このフィルタを用いたマイクロリアクタは、結果として、従来のものに比べ、試料・試薬の混合・反応時間を大幅に短縮し、流路を短くすることができ、それによりさらにサイズの小型化ができ、また、検査・反応のための試料・試薬の量が少なくてすむため、コストを低減できる。さらにまた、該細孔が多数あるため、従来の平面流路型のマイクロチップ等に比べ圧力損失も小さいものとすることができた。
【０００７】
【特許文献１】特開２０００−１８０３１３号公報
【特許文献２】特開２００２−３２６９６３号公報
【特許文献３】特開２００１−１５８０００号公報
【発明の開示】
【発明が解決しようとする課題】
【０００８】
そして、本発明らは、上記のフィルタまたはマイクロリアクタを用いて、さらに、物質の混合または反応評価・検査等の分野において新たな形態のものを創出・確立することを目的とした。
即ち、本発明は、例えば、上記のフィルタまたはマイクロリアクタを用いて、新たな方式で物質の混合または反応評価・検査が行える分析デバイスおよび分析装置を提供するものであり、物質の混合または反応・検査の前後だけではなく、その経過もリアルタイムに観察・測定できる分析デバイスおよび分析装置を提供するものである。
【課題を解決するための手段】
【０００９】
本発明者らは鋭意検討の結果、以下の通りの技術的構成を見出し、本発明を完成したものである。
即ち、本発明は以下の通りである。
【００１０】
（１）細孔を複数備えかつ近傍または内部で物質の混合または反応が生じるフィルタと、該フィルタの内部または近傍に設けた光導波路とを有する分析デバイス。
（２）前記光導波路が、コアを露出したものである前記（１）の分析デバイス。
（３）前記光導波路が、光ファイバである前記（１）または（２）の分析デバイス。
（４）前記光導波路が、外径がテーパ型である前記（３）の分析デバイス。
（５）前記光導波路を、前記フィルタの内部に細孔を横切るように設けた前記（１）の分析デバイス。
（６）前記光導波路を、前記フィルタの内部に細孔に隣接させて設けた前記（１）の分析デバイス。
（７）前記光導波路を、前記フィルタの表面に密着させて設けた前記（１）の分析デバイス。
（８）前記フィルタが、前記光導波路を構成する材料よりも低い屈折率を有する材料で構成されている前記（１）の分析デバイス。
（９）前記（１）〜（８）のいずれかの分析デバイスと、前記光導波路に通す光波を発する光源と、該光導波路を通って出た光波を検出する検出器を有する分析装置。
【００１１】
一般に、光波は、光ファイバ等の光導波路中をその外界との界面で反射しながら伝わるものである。実際には、光波が僅かに外界に染出す、所謂エバネッセント光が生じた状態で光波が光導波路中を伝わってゆくものである。この際、エバネッセント光が生じる位置に、該光を吸収する物質、または光導波路よりも屈折率の高い物質が存在すると、エバネッセント光は該物質に吸収または透過されてゆき、光導波路を伝わる光波はそのエネルギが次第に減衰する。
本発明は、上記、エバネッセント光が光導波路外界で吸収・透過され、光導波路を伝わる光波のエネルギが減衰する原理を用いるものである。
【００１２】
例えば、細孔を複数備えるフィルタに、複数種の物質を通過させると、該フィルタ（特に細孔）の近傍または内部で該物質の混合または反応が生じる。そして、該物質の混合または反応領域において、光の屈折率、透過率、吸収率等の光学特性の変化等が生じることがある。この物質の混合または反応が生じる領域に光導波路を設け、該光導波路に光波を伝導させると、該光導波路の外側に生じるエバネッセント光が、物質の混合または反応によって生じる光学特性の変化の影響を受け、例えば、エバネッセント光が透過または吸収され、光導波路を伝わる光波は次第に減衰する。即ち、光量（エネルギ）が光導波路入口側のものよりも出口側のものが小さくなる。この光量の差を観測することで、前記フィルタを通過する物質の混合または反応状態を評価することができる。
【発明の効果】
【００１３】
本発明の分析デバイスは、細孔を複数備えかつ近傍または内部で物質の混合または反応が生じるフィルタと、該フィルタの内部または近傍に設けた光導波路とを有することにより、新たな方式で物質の混合または反応評価・検査が行うことができるものであり、例えば、物質の混合または反応・検査の前後だけではなく、その経過もリアルタイムに観察・測定することができる。
【発明を実施するための最良の形態】
【００１４】
本発明の分析デバイスは、細孔を複数備えかつ近傍または内部で物質の混合または反応が生じるフィルタと、該フィルタの内部または近傍に設けた光導波路とを有するものである。
本発明の分析デバイス、それを用いた分析原理、分析形態等の具体例を、図１を示しながら説明する。
【００１５】
図１（ａ）は、細孔を複数備えかつ近傍または内部で物質の混合または反応が生じるフィルタ２と、該フィルタ２の内部または近傍に設けた光導波路３とを有する、本発明の分析デバイス１の、基本的構成を示すものである。
図１（ｂ）は、本発明の分析デバイス１を用いた分析原理の概略を示すものである。光導波路３の外側に染み出したエバネッセント光５は、前記フィルタ２の近傍または内部で生じた物質の混合または反応による光学特性変化領域６で、部分的に吸収等され、減衰する。
【００１６】
図１（ｃ）は、本発明の分析デバイス１を用いた分析形態例の概略を示すものである。本発明の分析デバイス１を垂直型マイクロリアクタ１１に適用することができる。その際、光導波路３に通す光波を発する光源１２と、光導波路３を通って出た光波を検出する検出器１３も設ける。
本発明の分析装置において用いる光源としては、特に限定されないが、半導体レーザ、発光ダイオード等が挙げられる。
【００１７】
本発明の分析デバイスにおいて用いる、前記光導波路としては、被覆されていない光ファイバや、ガラス細線等のコアを露出したものが挙げられる。
また、図２は、光導波路３としてフィルタ２の近傍または内部に位置する部分のみをフッ化水素水溶液を用いて液相エッチングして他の部分に比べて細くした、外径がテーパ型の光ファイバを用いた例を示すものである。光ファイバの外径をテーパ型にする手法は、これ以外にも、加熱延伸による細径化する、あらかじめ細径化した光ファイバを融着する、など既に知られている手法をとることが可能である。
また図３は、光導波路３としてフィルタ２の近傍または内部に位置する部分のみ被覆材を除去した、所謂コアを露出した光ファイバを用いた例を示すものである。
【００１８】
図４〜６は、本発明の分析デバイスにおける、フィルタ２と光導波路３の位置関係を示すものである。なお、図４〜６の各図において、（ａ）は本発明の分析デバイスを上方から見た図であり、（ｂ）は本発明の分析デバイスの断面図である。
図４は、光導波路３を、フィルタ２の内部に細孔４に貫通させて設けた形態を示すものである。これにより、フィルタ２内部で生じる物質の混合または反応を評価することができる。
図５は、光導波路３を、フィルタ２の内部に細孔４に隣接させて設けた形態を示すものである。これにより、フィルタ２近傍または内部で生じる物質の混合または反応を評価することができる。
図６は、光導波路３を、フィルタ２の表面に密着させて設けた形態を示すものである。これにより、フィルタ２近傍で生じる物質の混合または反応を評価することができる。
【００１９】
なお上記では、本発明の分析デバイスとして、フィルタ２の直径方向に直線状の光導波路３を設けた形態を述べたが、図７に示すように、光導波路３をフィルタ２の内部または近傍に渦巻状に設けたり、図８に示すように、複数本に分岐・統合させて設けたりすることにより、光導波路の全長を長くすることができる。そして、光導波路の全長を長くすることにより、より高い検出感度、より広い検出領域をえることができる。なお、図７及び８の各図において、（ａ）は本発明の分析デバイスを上方から見た図であり、（ｂ）は本発明の分析デバイスの断面図である。
【００２０】
本発明の分析デバイスにおいて、フィルタを構成する材料と光導波路を構成する材料の屈折率の関係は、光導波路を構成する材料の方が高い方が好ましい。光導波路を構成する材料の屈折率がフィルタを構成する材料の屈折率よりも高いと、エバネッセント光がフィルタに吸収・透過される量は微小であり、光導波路近傍の状態変化に対してより敏感に変化するため、正確な分析が容易になる。
具体的には、フィルタを構成する材料の屈折率は１．４４以下、光導波路を構成する材料の屈折率は１．４５以上であることが好ましい。また、例えば細径化した光ファイバの場合、周囲の屈折率より屈折率差で０．０５以上に充分高ければ、非常に強い導波構造をとることができ、図７に示すような微少な屈曲を生じさせた場合でも曲げによる損失をごく僅かに抑えたまま導波させることができる。それ故、閉塞部を長くとっても損失は非常に少なく、エバネッセント光の吸収のみを検出することが可能である。また、周囲の屈折率が高くなる方向に変化した場合、曲げによる損失が生じ、屈折率の変化にも敏感に感応することもできる。フィルタ材質としては、ポリジメチルシロキサン（PDMS）のように屈折率が１．４０近辺の有機材料を利用することができる。この材料は波長200nmの光までも十分透過することができるため、紫外線を利用した分光分析に有利である。光導波路はシリカガラス製であることが好ましい。この場合、屈折率は１．４５８６であり、波長250〜400nmの光も十分透過することができるためである。
【００２１】
本発明の分析デバイスおよび分析装置は、そのフィルタの近傍または内部で生じる物質の混合または反応を、様々な検出方法・形態で検出することができる。例えば、物質の混合または反応の前後において、光屈折率、光透過率、光吸収率が変化する現象を検出する方法・形態、蛍光やその他の発光が生じる現象を検出する方法・形態、蛍光やその他の発光標識されたものの変化量を検出する方法・形態、等が挙げられる。
蛍光以外の発光を検出する方法・形態としては、一度に２種類以上の項目の同時分析すなわち発光分光（赤外・可視・紫外・Ｘ線など）、ラマン分光、円偏光二色性・旋光分散、光音響分光、磁気共鳴、近接場分光、非線形レーザ分光、Ｘ線分光、光電子分光、光イオン化分光、質量分析、表面プラズモン共鳴などの多項目分析が挙げられる。
【００２２】
光導波路周辺の光屈折率が変化する場合は、それに伴い光導波路近傍の導波構造が変化することによって光導波路内を伝播する光の透過特性が変化することにより、光導波路近傍の状態変化を検出できる。光導波路周辺の光吸収率が変化する場合には、エバネッセント光の光吸収率が変化するため、光導波路中を伝播する光の透過率が変化するため、光導波路近傍の状態変化を検出できる。これらの測定では、レーザや発光ダイオードのように光吸収変化が生じる波長に応じた波長の光を発生可能な光源を用い、特定波長の光の変化を測定しても良いし、波長可変光源や白色光源を用いて、光透過率の波長依存性の変化を計測しても良い。光透過率の波長依存性の変化を計測した方が、より得られる情報量が多く、複数の特性を計測することが出来る。蛍光やラマン光を計測する場合は、光導波路は、光導波路近傍で発光した光を取り込み、光検出器まで導く機能も併せて持つ。この時、発生した蛍光などの発光成分が光導波路側面から入射し、その一部は光導波路に取り込まれて伝播することになる。なお、光屈折率、光透過率、光吸収率等の光学特性が変化する現象を検出する方法・形態では、エバネッセント光の吸収・透過により、光導波路を伝わる光量が減衰するものであるが、蛍光やその他の発光を検出する方法・形態では、光導波路を伝わる光量が増加するものである。
【００２３】
また、本発明の分析デバイスおよび分析装置は、免疫反応を用いた免疫定量法の原理を利用した分析も可能である。その中でも、一般的な酵素免疫測定（ＥＬＩＳＡ）法（サンドイッチ法及び競合法のいずれも）をそのまま利用することができる。しかし、抗体と測定対処物質の結合前後で、光屈折率、光透過率、光吸収率等の光学特性が変化することから、従来のＥＬＩＳＡ法や放射免疫測定（ＲＩＡ）法のように酵素または放射線標識や発光基質の添加も不要となる。特に、波長２５０〜４００nmの紫外光領域では、酵素の結合による光透過率の変化が大きく、標識不要で検出が出来る点から、利用価値が大きい。この場合、光導波路およびフィルタ双方の紫外光領域での光透過特性が良好であれば、光導波路中およびフィルタ中での光損失が小さくなるため、検出感度が向上する。
【００２４】
次に、本発明の分析デバイスおよび分析装置に用いるフィルタ（以下、単に本発明のフィルタとも称する）について、詳細に説明する。
本発明のフィルタは、細孔を複数備え、マイクロリアクタの複数の隔室を形成し、マイクロリアクタを垂直で用いた場合には、該フィルタ上表面に液体が存在しても、一定の力（圧力等）が加えられない限り、液体の表面張力に対して細孔の大きさを選択する事で液体の表面張力により細孔を通り抜けることを防止することができるものであり、液体中の分子のふるいや分離に用いられるものである。また、液体を保持する機能を付加することで、化学反応速度律速の場合でも、混合した物質をその領域に保持することにより、圧力損失を与えずに、反応を進行させることが出来る。もちろん上記のような垂直型マイクロリアクタ用のフィルタとしてだけでなく、水平型マイクロリアクタ用のフィルタとしても使用可能である。
【００２５】
このようなフィルタは、その細孔の直径をＤａμｍとしたとき、０．００１μｍ≦Ｄａμｍ≦１００μｍの関係を満たすものであることが好ましい。また、細孔の直径Ｄａは、細孔の長さよりも小さいことが好ましい。
該フィルタにおける、ふるいや分離を行う液体中の分子の拡散速度をＶｍμｍ／秒、前記液体のフィルタ通過時間をＴｆ秒としたとき、Ｄａ≦Ｔｆ・Ｖｍの関係を満たすことが好ましい。
上記構成により、分子拡散による分子同士の衝突頻度を向上でき、その結果として、例えば、液体試薬を用いた場合、その他のものに比べ、試薬の反応時間を大幅に短縮することができる。
【００２６】
また、本発明のフィルタにおいて、複数の細孔は、ハニカム形状に並列してなる形態であってもよい。この場合、前記細孔の一辺をＤｂμｍとしたとき、０．０００５μｍ≦Ｄｂμｍ≦５０μｍの関係を満たすものであることが好ましい。また、細孔の一辺Ｄｂは、細孔の長さよりも小さいことが好ましい。
またこの場合、ふるいや分離を行う液体中の分子の拡散速度をＶｍμｍ／秒、前記液体のフィルタ通過時間をＴｆ秒としたとき、２Ｄｂ≦Ｔｆ・Ｖｍの関係を満たすことが好ましい。
上記構成により、分子拡散による分子同士の衝突頻度を向上できる。その結果として、例えば、液体試薬を用いた場合、他のものに比べ、試薬の反応時間を大幅に短縮することができる。
【００２７】
本発明のフィルタは、絶縁材、Ｘ線リソグラフィー法を用いるＬＩＧＡ（Ｌｉｔｈｏｇｒａｐｈｉｔｅ  Ｇａｌｖａｎｏｆｏｒｍｕｎｇ  ａｎｄ  Ａｂｆｏｒｍｕｎｇ）プロセスで加工された金属、絶縁材の順、絶縁材、ヒーター線、絶縁材の順、絶縁材、Ｘ線リソグラフィー法で加工された金属、絶縁材、Ｘ線リソグラフィー法で加工された金属、絶縁材の順、又は、絶縁材、Ｘ線リソグラフィー法で加工された金属、ヒーター線を絶縁体で挟み込んだヒーター層、Ｘ線リソグラフィー法で加工された金属、絶縁材の順に積層された積層体からなるものであることが好ましい。
絶縁材、金属、絶縁材の積層体とすることにより、中間の金属材のみに電圧印可することができ、金属材に電極の機能を付加することが可能となる。また、金属の層を２つ有するフィルタ上部に電解質の流体が存在する場合、金属の層の間に電圧を印加すれば、電気泳動又は電気浸透流により流体中の特定のイオンのみをフィルタ下部に送り出すことができる。さらに、ヒーター機能を有するフィルタであれば、フィルタ内部を流れる流体を加熱して、常温以上で起こる化学反応を誘起することもできる。
【００２８】
ここで用いられる金属としては、銅、アルミニウム、白金、金等が挙げられる。絶縁材としては、電気・熱を絶縁するガラス、ポリジメチルシロキサン、アクリル樹脂等が挙げられる。ヒーター線としては、チタン、金、白金、タングステン、モリブデン等が挙げられる。
なお、ヒーターは、孔と重ならないように配線され、外部電源から導かれたヒーター線を絶縁体で挟み込んだものとしてもよい。また、ヒーター線の代わりに中空のパイプを用い、その中に熱媒体を流すことによって、加温・冷却も可能となる。
【００２９】
また、本発明のフィルタとして、シリカ多孔体等のメソポーラス体を用いてもよい。そしてこのメソポーラス体においても、メソポーラス体を加熱するヒーターを備えることもできる。加熱ヒーターは、一例として、メソポーラス体フィルタ上面にタングステン等の高抵抗発熱体薄膜をメッキ法やＣＶＤ法等で貼り付け、電流を制御して通電することで所定の温度に調整する。なお、ＵＶフォトプロセスを用いて、金や白金、チタンの厚めの蒸着薄膜をパターニングしてヒーターパターンとすることとしてもよい。
【００３０】
さらに、本発明の分析デバイスおよび分析装置との適用が可能なマイクロリアクタ（以下、単にマイクロリアクタとも称する）について説明する。
本発明のマイクロリアクタは、図１（ｃ）に示すように、筒状の槽内部をフィルタで径方向に仕切って隔室（反応槽）を形成したものである。特に、図１（ｃ）に示すマイクロリアクタ１１は、槽内部を１つのフィルタ２のみで仕切って、２つの隔室を形成したものであるが、フィルタ２を２つ以上用いて３つの隔室（反応槽）を形成したものであってもよい。
【００３１】
この場合、２つのフィルタに挟まれた真中の隔室（第２反応槽）には、表面に所定の抗体又は酵素が固定された多数の微粒子が封入されていてもよい。表面に所定の抗体又は酵素が固定された微粒子により、生化学反応の効率と選択性とを向上させることができる。
【００３２】
次に、本発明のマイクロリアクタの本体（槽とフィルタ）の製造方法について説明する。マイクロリアクタの本体は、槽の部分と、フィルタとが別々に作製される。また、筒状の槽は、さらに各隔室（反応槽）の円筒部分に分けて作製される。その場合、各隔室（反応槽）とフィルタとは、精密機械加工、Ｘ線、紫外線又は電子線を用いた電磁波加工、若しくは成形加工によって作製される。これら作製されたものを用いて、各隔室（反応槽）部分の間にフィルタが挟まれるように、熱硬化性樹脂又は光硬化性樹脂によって接合、又は、金属表面を活性化処理することによって、金属表面の原子の未結合手が表面に露出するので、この未結合手と接着しようとする各槽を構成する原子が結合するという表面活性化接合がなされ、マイクロリアクタ１が形成される。熱硬化性樹脂としては、フェノール樹脂、アクリル樹脂、エポキシ樹脂、メラミン樹脂、シリコン樹脂、アクリル変性シリコン樹脂などが挙げられる。紫外線硬化性樹脂としては、例えば、エポキシアクリレート樹脂、ポリエステルアクリレート樹脂、及びそれらのメタクリレート変性品などが挙げられる。なお、硬化形態としては、熱硬化、紫外線硬化、電子線硬化などどれでもよく、硬化するものであればよい。
【産業上の利用可能性】
【００３３】
本発明は、様々な物質の混合または反応評価・検査が行え、アミノ酸等や抗体等の有用な物質の生産や、食品工業、医薬、医療品、分析、分離・精製、環境保全、エネルギ生成等の分野においての利用が期待できる。
【図面の簡単な説明】
【００３４】
【図１】本発明の分析デバイス、それを用いた分析原理、分析形態等の具体例を示す図である。
【図２】本発明の分析デバイスにおいて、光導波路として、外径がテーパ型の光ファイバを用いた例を示す図である。
【図３】本発明の分析デバイスにおいて、光導波路として、コアを露出した光ファイバを用いた例を示す図である。
【図４】本発明の分析デバイスにおいて、光導波路をフィルタの内部に細孔を横切るように設けた形態を示す図である。
【図５】本発明の分析デバイスにおいて、光導波路をフィルタの内部に細孔に隣接させて設けた形態を示す図である。
【図６】本発明の分析デバイスにおいて、光導波路をフィルタの表面に密着させて設けた形態を示す図である。
【図７】本発明の分析デバイスにおいて、光導波路をフィルタの内部または近傍に渦巻状に設けた形態を示す図である。
【図８】本発明の分析デバイスにおいて、光導波路を複数本に分岐・統合させて設けた形態を示す図である。
【符号の説明】
【００３５】
１  分析デバイス
２  フィルタ
３  光導波路
４  細孔
５  エバネッセント光
６  光学特性変化領域
１１  マイクロリアクタ
１２  光源
１３  検出器
【図１】
2007033342.tif 000003
【図２】
2007033342.tif 000004
【図３】
2007033342.tif 000005
【図４】
2007033342.tif 000006
【図５】
2007033342.tif 000007
【図６】
2007033342.tif 000008
【図７】
2007033342.tif 000009
【図８】
2007033342.tif 000010